(57)【要約】【課題】電子ペンを使用することによってＤＰ伝票に記載した情報を直ちに電子化して依頼人の携帯通信端末に伝え、待ち時間などが発生しない写真処理情報提供システムを提供する。【解決手段】電子ペンを利用した写真処理情報提供システムであって、写真処理側の、写真処理情報配信サーバと、通信端末と、通信端末に接続され少なくとも筆記手段，光学読取手段，記憶手段及び送信手段とを有する電子ペンと、通信端末に接続された電子ペン管理サーバと、少なくとも電子ペン読取専用ドットパターンが印刷されたＤＰ伝票と、写真処理依頼側の、少なくとも表示部を具備した携帯通信端末と、を有する写真処理情報提供システムを提供する。【選択図】  図１
2007047523.tif 000002
【特許請求の範囲】
【請求項１】
電子ペンを利用した写真処理情報提供システムであって、
写真処理側の、写真処理情報配信サーバと、通信端末と、通信端末に接続され少なくとも筆記手段，光学読取手段，記憶手段及び送信手段とを有する電子ペンと、通信端末に接続された電子ペン管理サーバと、少なくとも電子ペン読取専用ドットパターンが印刷されたＤＰ伝票と、
写真処理依頼側の、少なくとも表示部を具備した携帯通信端末と、
を有することを特徴とする写真処理情報提供システム。
【請求項２】
請求項１に記載の写真処理情報提供システムにおいて、
通信端末と電子ペンは、写真受付店と写真処理場の両方に設置されたことを特徴とする写真処理情報提供システム。
【請求項３】
請求項１，２何れか一項に記載の写真処理情報提供システムにおいて、
少なくとも写真処理依頼人の電子メールアドレスと、依頼人情報と、写真処理内容情報は受付店で、少なくとも写真仕上がり日時に関する情報と写真処理代金に関する情報は写真処理場で、それぞれ電子ペンによってＤＰ伝票に記載され、前記電子ペンによって記載された情報は、記載終了時点で写真処理情報配信サーバから依頼人の携帯通信端末に電子メールとして送信されることを特徴とする写真処理情報提供システム。
【請求項４】
請求項１〜３に記載の写真処理情報提供システムにおいて、
写真処理代金が支払われた依頼人の電子メールアドレスデータは、携帯通信端末を除く写真処理情報提供システム構成機器の記憶部から削除されることを特徴とする写真処理情報提供システム。
【発明の詳細な説明】
【技術分野】
【０００１】
本発明は、電子ペンを使用し、依頼された写真の処理情報を依頼人の携帯端末に配信する写真処理情報提供システムに関する。
【背景技術】
【０００２】
従来、写真受付店にて写真現像，プリント処理を依頼する場合、先ず、依頼人は、撮影済みのフィルムを受付店に持ち込む。受付店では、ＤＰ（Ｄｅｖｅｌｏｐｉｎｇ  ａｎｄ  Ｐｒｉｎｔｉｎｇ）袋に写真処理情報、例えば、日付，依頼人の氏名，焼き増し情報，印画紙の大きさなどを記載する。
記載内容を確認し、最後に出来上がり日時を記載して、ＤＰ袋から預かり伝票（客控え）を切り離し、依頼人に渡す。受付店では、店控え伝票をＤＰ袋から引き剥がして保管する。依頼された、フィルムまたは現像前のカートリッジをＤＰ袋に収納し、ホッチキスなどで封緘する。受付店で現像焼付けを行っている場合は、受付店の所定の保管場所に保管し、写真処理場で処理する場合は写真処理場行きの箱に一時保管する。
写真処理場では、ＤＰ袋に収納されたフィルムを取り出してプリントを行う。フィルム現像を伴う場合は、フィルムを現像し、プリントを行う。
写真処理が終わると、ＤＰ袋の売上票に処理内容を記載し請求金額を記載する。売上票を切り取って保管し、受付店に送付する。
受付店では受け取りに来た依頼人に、処理代金と引き換えにフィルムとプリント物を渡す。
以上が、店におけるフィルム受付からプリント仕上げまでの平均的な手順である。
【０００３】
前述のように、従来のシステムでは、トラブルによるやり直し時間なども加味して仕上げ予定時間を設定しているために早く出来上がっていても依頼人は早いタイミングで受け取ることができなかった。また、現像処理が終わるまで支払い金額が確定しないことが多かった。
近年では、デジタルカメラで撮影した電子画像からプリントする例が多くなっており、インターネットで簡単に焼き増しが行えるようにした、「プリント発注方法及びＤＰ袋」が提案されている（特許文献１参照）。
この方法は、ネットワークに接続して現像所を呼び出し、以前にプリントを依頼した際のＤＰ袋に記載されているパスワードによって画像を表示して焼き増ししたい写真のプリントを依頼するもので、依頼人が何度も店に足を運ぶ必要がないシステムを提供することを目的としている。
【０００４】
【特許文献１】特開平１１-１１９３４８
【発明の開示】
【発明が解決しようとする課題】
【０００５】
前述の特許文献に記載の方法では、写真処理場側では、焼き増しが行われない対象の写真も保管しなければならず、保管する写真情報が膨大になり、保管コストがかさむ。
本発明では、電子ペンを使用することによってＤＰ伝票に記載した情報を直ちに電子化して依頼人の携帯通信端末に伝え、待ち時間などが発生しない写真処理情報提供システムを提供する。
【課題を解決するための手段】
【０００６】
前記課題を解決するために、本発明の写真処理情報提供システムの請求項１に記載の発明は、電子ペンを利用した写真処理情報提供システムであって、写真処理側の、写真処理情報配信サーバと、通信端末と、通信端末に接続され少なくとも筆記手段，光学読取手段，記憶手段及び送信手段とを有する電子ペンと、通信端末に接続された電子ペン管理サーバと、少なくとも電子ペン読取専用ドットパターンが印刷されたＤＰ伝票と、写真処理依頼側の、少なくとも表示部を具備した携帯通信端末と、を有することを特徴とするものである。
【０００７】
また、請求項２に記載の発明は、請求項１に記載の発明において、通信端末と電子ペンは、受付店と写真処理場の両方に設置されたことを特徴とするものである。
【０００８】
また、請求項３に記載の発明は、請求項１，２何れか一項に記載の発明において、少なくとも写真処理依頼人の電子メールアドレスと、依頼人情報と、写真処理内容情報は受付店で、少なくとも写真仕上がり日時に関する情報と写真処理代金に関する情報は写真処理場で、それぞれ電子ペンによってＤＰ伝票に記載され、前記電子ペンによって記載された情報は、記載終了時点で写真処理情報配信サーバから依頼人の携帯通信端末に電子メールとして送信されることを特徴とするものである。
【０００９】
また、請求項４に記載の発明は、請求項１〜３に記載の発明において、写真処理代金が支払われた依頼人の電子メールアドレスデータは、携帯通信端末を除く写真処理情報提供システム構成機器の記憶部から削除されることを特徴とするものである。
【発明の効果】
【００１０】
本発明の写真処理情報提供システムによって、従来と同様なＤＰ伝票記載処理をして貰うだけで依頼人の電子メールアドレスが写真処理側の写真処理情報配信サーバに一時登録され、依頼人情報，写真処理内容情報，写真仕上がり日時，写真処理代金などの写真処理情報を依頼人の携帯通信端末に電子メールとして届けることができ、依頼人の無駄な待ち時間を無くす事ができる。
その結果、顧客に対するサービスが向上し、写真処理を行っている期間中、例えば、店のコマーシャルを流せば、店の集客向上に繋げることができる。
電子メールアドレスを保有している依頼人用と、電子メールアドレスを保有していない依頼人用とＤＰ伝票を使い分ければ、電子メールアドレスを保有している依頼人用のＤＰ伝票は、客控え，店控えを省略することができる。
また、写真処理代金が支払われた依頼人の電子メールアドレスデータは、携帯通信端末を除く写真処理情報提供システム構成機器の記憶部から削除されることを依頼人に知らしめることによって店の信用度が高まる。
【発明を実施するための最良の形態】
【００１１】
以下、図面を参照して本発明の写真処理情報提供システムについて説明する。
図１は、本発明の写真処理情報提供システムを構築するための装置，媒体について説明するための図，図２は、本発明の写真処理情報提供システムに使用されるＤＰ伝票について説明するための図，図３は、受付店の電子ペンによる処理手順について説明するための図，図４は、写真処理場の電子ペンによる処理手順について説明するための図，図５は、電子ペンについて説明するための図，図６は、電子ペン読取専用ドットパターンについて説明するための図，である。
【００１２】
図１を参照して、本発明の写真処理情報提供システムを構築するための装置，媒体について説明する。
本発明の写真処理情報提供システムを構築するために、写真処理側の受付店内には、少なくとも筆記手段，光学読取手段，記憶手段及び送信手段とを有する電子ペン１，電子ペンに接続されて電子ペン管理サーバ４や、写真処理情報配信サーバ５に依頼人情報，写真処理内容情報などの写真処理情報を送信するための通信端末３が設置される。
また、写真処理側の写真処理場には、受付店同様、電子ペン１，電子ペンに接続されて電子ペン管理サーバ４や、写真処理情報配信サーバ５に写真仕上がり日時，写真処理代金などの写真処理情報を送信する通信端末３１が設置される。
また、受付店内には電子ペン読取専用ドットパターンが印刷されたＤＰ伝票２、または、前記ＤＰ伝票付きＤＰ袋が備え付けられる。
一方、写真処理を依頼する側には、ＤＰ伝票に記載した電子メールを受信することができる携帯電話や、ＰＤＡ（Ｐｅｒｓｏｎａｌ  Ｄｉｇｉｔａｌ  Ａｓｓｉｓｔａｎｃｅ）など少なくとも、表示部を具備した携帯通信端末６を一時登録させる。
【００１３】
以下の説明では、電子ペンはスウェーデン国の「Ａｎｏｔｏ社」で開発されたアノトペン、および、電子ペン読取専用ドットパターンが印刷されたＤＰ伝票はアノトペン専用ドットパターンが印刷されたＤＰ伝票の例で説明する。
【００１４】
図５を参照して、電子ペン１について説明する。
電子ペン１は、インクカートリッジ１０８を伴った筆記部１０６，ドットパターンを読み取るデジタルカメラによる撮像部１０５，デジタルカメラで読み取られた筆記情報（ストロークの座標情報）を記憶する記憶部１０３，通信端末にストロークの座標情報を送信する通信部１０２，これらの機能を制御する制御部１０４，電子ペン用の圧力センサ１０７，図示していないが電源部を電子ペン１の筐体１０１の内部に搭載している。
電子ペン１は、ＤＰ伝票に印刷されたドットパターン情報を撮像部１０５で読み取って記憶部１０３で記憶し、通信部１０２から通信端末に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
筆記部１０６は、電子ペンの筐体１０１に組み込まれており、単に筆記具として使用することもできるようになっている。
【００１５】
筆記部１０６は、筆記イメージを可視状態で記載部に残す役割の他に、デジタルカメラによる撮像部１０５とドットパターン印刷面との距離を一定にする役割を担っている。
筆記部１０６が電子ペン筐体１０１に装着されたときに、インクカートリッジ１０８側の先端が、電子ペン筐体１０１に取り付けられた電子ペン用の圧力センサ１０７に接触するようになっている。
この圧力センサ１０７は、情報の記載が開始されることを制御部１０４に伝える役割と、筆圧の強弱を読み分ける役割を備えている。
そのために、本実施の形態では利用しないが、署名の際に筆圧による特徴を把握し、署名している者が、例えば、登録されている者か否かを判定することができるようになっている。インクカートリッジ１０８の残量を確認する場合、または、充填する場合は、例えば、筆記部１０６を電子ペン筐体１０１の先端から引き抜いてインク残量の確認、または、インクの補充を行う。
【００１６】
図６を参照して、電子ペン専用ドットパターンについて説明する。
ａ図に示すドットパターンは、アノトペン専用ドットパターンの例である（ａ図に示す縦横の仮想線は、説明し易くするために便宜上記載しており、実際には印刷されていない）。
ドットパターンの各ドットは、０．３ｍｍ間隔で形成された直角に交わる縦横の仮想線の交点近傍に、それぞれ異なる４方向の何れかに配置され、（電子ペンの撮像部で認識可能な）赤外線で読取ることができるインキで印刷されている。
ｂ図は、判りやすくするために、ａ図に示したドットパターンの、それぞれのドットの意味を数値に変換して示した一例である。
前述のＡｎｏｔｏ社のシステムでは、３６個のドット（約４ｍｍ2の内側に印刷されたドット群）を１単位情報として扱っている。
【００１７】
電子ペンで、ＤＰ伝票上に情報を記載すると、記載された情報の近傍に印刷されたドットパターンを電子ペンに内蔵された撮像部で読み取って、ペン先が置かれた場所の、または、移動した場所の単位情報から座標を割り出し、電子ペンの記憶部に記憶するようになっている。
【００１８】
電子ペン管理サーバ４について説明する。
電子ペン管理サーバ４は、多くの場合、ＰＬＳ（Ｐａｐｅｒ  Ｌｏｏｋ−ｕｐ  Ｓｅｒｖｉｃｅ）サーバと、ＡＳＨ（Ａｐｐｒｉｃａｔｉｏｎ  Ｓｅｒｖｉｃｅ  Ｈａｎｄｌｅｒ）サーバに分けられて設置される。
一つのアプリケーションには、同一のドットパターンが存在しないように管理されており、通信端末から送信されたドットパターンの座標情報は、まず、ＰＬＳサーバに送信される。
ＰＬＳサーバは、受信したドットパターンの座標情報から使用されているアプリケーションを判別し、そのアプリケーションを支援するＡＳＨサーバのＵＲＬを割り出して、ＡＳＨサーバのＵＲＬを通信端末に送信する。
通信端末は、ストローク座標情報を前述のＡＳＨサーバのＵＲＬに送信する。
ＡＳＨサーバは、座標情報をテキストデータに変換してテキストデータの写真処理情報として通信端末に返信する。
稀に、ＰＬＳサーバと、ＡＳＨサーバを同一のサーバ内に存在させて使用する場合もある。
【００１９】
受付店通信端末３，写真処理場通信端末３１は、パーソナルコンピュータのような通信手段その他を有する端末で、電子ペンに接続されて使用される。
「Ａｎｏｔｏ社」で開発されたアノトペン（電子ペン）は、通信端末とＵＳＢ方式により有線接続、または、Ｂｌｕｅｔｏｏｔｈにより無線接続される。
【００２０】
写真処理情報配信サーバ５は、前述の受付店通信端末３，写真処理場通信端末３１とネット上で接続され、ＤＰ伝票に記載された写真処理依頼人の電子メールアドレスを記憶し、受付店通信端末３，写真処理場通信端末３１から送信される写真処理情報を編集して写真処理依頼人の電子メールアドレスに送信する。
また、受付店通信端末３から、写真処理代金が支払われたことが知らされると、写真処理情報配信サーバ５，受付店通信端末３，写真処理場通信端末３１の記憶部から対象となる電子メールアドレスデータを削除する処理も行う。
【００２１】
図２を参照して、電子ペン読取専用ドットパターンが印刷されたＤＰ伝票２ついて説明する。
ＤＰ伝票２は、通常、客控え伝票２，店控え伝票２１，売上票２２で構成され、図示しないがＤＰ袋に綴じられて使用される。
ＤＰ伝票に使用される紙は、ノーカーボン用紙、プリントカーボン用紙など複写可能な材料が使用され、電子ペンで記載された写真処理情報はＤＰ袋表面にも複写情報として残される。
本発明の写真処理情報提供システムに使用されるＤＰ伝票２は、写真処理情報記載部分に電子ペン読取専用ドットパターンを印刷して使用するか、電子ペン読取専用ドットパターンが印刷された専用用紙にプリントカーボン印刷を行って使用する。
客控え伝票２，店控え伝票２１，売上票２２の左上，図示しないがＤＰ袋の所定の場所に、それぞれチェックボックス２０１が印刷され、チェックボックス２０１の内側エリアに電子ペンでチェックマークを記載すると伝票に記載した、例えば、依頼者の名前（お客様名），メールアドレス，ご連絡先（電話番号）などの情報が電子ペンの通信部から「Ｂｌｕｅｔｏｏｔｈ」接続により通信端末に送信される。
【００２２】
図３を参照して、受付店の電子ペンによる処理手順について説明する。
先ず、依頼人は、撮影済みのフィルムを受付店に持ち込む。
依頼人は、ＤＰ伝票に依頼人の名前を記載する（ステップ１：以下Ｓ１という）。
次いで、携帯通信端末に表示される電子メールのメールアドレスを記載する（Ｓ２）。
次いで、電話番号などの連絡先情報を記載する（Ｓ３）。
店の受付担当者は、フィルム現像を伴う写真処理であればフィルムのタイプが印刷されたボックスにチェックマークを書き込む（Ｓ４）。
次に、依頼人に質問してプリント内容を記載する（Ｓ５）。その他、特記事項があれば備考欄に記載する。
受付店での記入項目が終わったらチェックボックスにチェックマークを記載する（Ｓ６）。
日付は依頼人が記入しても担当者が記入してもよい。日付データは、電子ペンや通信端末から送信されるために記載データとは別に扱われる。
前述のチェックマークの記載が終わると、記載内容が電子ペンから通信端末に送信され、通信端末から電子ペン管理サーバに送信され、テキストデータなどに変換されて通信端末に戻され、写真処理情報配信サーバに送信され、依頼人の携帯通信端末のメールアドレスに電子メールとして送信される。
依頼人に客控え伝票が渡される。受付店では、店控え伝票を保管する。
依頼された、フィルムまたは現像前のカートリッジをＤＰ袋に収納し、ホッチキスなどで封緘する。受付店で現像焼付けを行っている場合は、受付店の所定の保管場所に保管し、写真処理場で処理する場合は写真処理場行きの箱に一時保管する。
【００２３】
図４を参照して、写真処理場の電子ペンによる処理手順について説明する。
写真処理場では、ＤＰ袋に収納されたフィルムを取り出してプリントする。現像を伴う場合は、フィルムを現像し、プリントを行う。
写真処理が終わると、プリント情報をＤＰ伝票に記載する（Ｓ１１）。
ＤＰ伝票の売上票に金額情報を記載する（Ｓ１２）。
記載内容を確認してチェックボックスにチェックマークを書き込む（Ｓ１３）。
売上票を切り取って保管し、フィルム及びプリント物を受付店に送付する。
【産業上の利用可能性】
【００２４】
写真処理など、品物を預かり、別な場所で処理されて預けた場所に戻されて依頼者に渡されるアプリケーション全般に利用できる。
【図面の簡単な説明】
【００２５】
【図１】本発明の写真処理情報提供システムを構築するための装置，媒体について説明するための図である。
【図２】本発明の写真処理情報提供システムに使用されるＤＰ伝票について説明するための図である。
【図３】受付店の電子ペンによる処理手順について説明するための図である。
【図４】写真処理場の電子ペンによる処理手順について説明するための図である。
【図５】電子ペンについて説明するための図である。
【図６】電子ペン読取専用ドットパターンについて説明するための図である。
【符号の説明】
【００２６】
１      電子ペン
２      ＤＰ伝票
３      店通信端末
４      電子ペン管理サーバ
５      写真処理情報配信サーバ
６      携帯通信端末
２１，２２  ＤＰ伝票複写枚目
３１    写真処理場通信端末
１０１  電子ペン筐体
１０２  通信部
１０３  記憶部
１０４  制御部
１０５  撮像部
１０６  筆記部
１０７  圧力センサ
１０８  インクカートリッジ
【図１】
2007047523.tif 000003
【図２】
2007047523.tif 000004
【図３】
2007047523.tif 000005
【図４】
2007047523.tif 000006
【図５】
2007047523.tif 000007
【図６】
2007047523.tif 000008